(57)【要約】【課題】電動圧縮機の電気端子を電気的短絡事故から防止する電気絶縁部材をナットでボルトに締結固定する場合において、電気絶縁部材の機械的強度がこれの締結力に対して不足するために生じる故障や、締結後の電動圧縮機の稼動と停止の繰り返しに伴う部材の緩みや脱落が生じるという課題があった。【解決手段】電気絶縁部材１にボルト１１を貫通挿入する中空柱状部２が有底筒形状の底面から筐体側に向かって設けられ、ナット６を締め付けない状態では中空柱状部の先端４とこれに対向する筐体との隙間４が僅かに存在し、ナット６を締め付けることで中空柱状部先端４と筐体とが密着する。これにより、機械的強度向上、ナット緩み防止効果が得られる。【選択図】図１
2011026972.tif 000002
【特許請求の範囲】
【請求項１】
電動機および圧縮機構を収納する筐体と、前記筐体に取り付けられて前記電動機と外部電源とを電気的に接続する電気端子と、前記電気端子近傍で前記筐体から外側に向かって延設されたボルトと、前記電気端子を覆うように前記筐体表面に配置された有底筒形状の電気絶縁部材と、前記ボルトと螺合して前記電気絶縁部材を前記筐体に固定するナットとを有し、前記電気絶縁部材には前記ボルトを貫通挿入する中空柱状部が有底筒形状の底面から筐体側方向に向かって設けられ、前記ナットを締め付けない状態では前記中空柱状部の先端とこれに対向する筐体との隙間が僅かに存在し、前記ナットを締め付けることで前記中空柱状部先端と前記筐対とが密着してなる電動圧縮機。
【請求項２】
中空柱状部の形状が円筒形状である請求項１記載の電動圧縮機。
【請求項３】
中空柱状部の形状が根元部分から先端に向かって徐々に外径が細くなっている請求項１又は２記載の電動圧縮機。
【請求項４】
電気絶縁部材の有底筒形状の底面肉厚が、中空柱状部の根元近傍で他の部分よりも薄肉となっている請求項１記載の電動圧縮機。
【請求項５】
中空柱状部の根元を取り巻く底面薄肉部分の肉厚が周辺部の肉厚の６分の２から６分の５の範囲に設定されており、この薄肉部分は中空柱状部の根元部分を取り巻くように配置されている請求項４記載の電動圧縮機。
【請求項６】
中空柱状部に補強部材を併せて構成した請求項１乃至５いずれか１項に記載の電動圧縮機。
【請求項７】
補強部材の形状は、ボルトが挿入できる円筒形状である請求項６記載の電動圧縮機。
【発明の詳細な説明】
【技術分野】
【０００１】
本発明は、冷暖房装置あるいは冷蔵庫などに用いられるロータリー圧縮機やスクロール圧縮機など、電気端子とそれに装着される電気絶縁部材を有する電動圧縮機に関するものである。
【背景技術】
【０００２】
従来から電動圧縮機の電気的短絡事故による漏電等の防止策として、電気端子をこの種の電気絶縁部材を用いて覆う方法が一般的に用いられている。
【０００３】
電気絶縁部材を電動圧縮機に固定する手段の一つとして、予め電動圧縮機側に固定されたボルトを電気絶縁部材側に設けられた穴部に挿入させた後、ナットをボルトに取り付けることにより、電気絶縁部材を電動圧縮機との間に挟み込むようにして締結固定している（例えば、特許文献１参照）。
【０００４】
一方、電気絶縁部材は安価で大量に製作する事を目的として、多くは樹脂成型品やゴムの成型品、板金プレス等により製作された物に絶縁被覆を施したものなどが使用されている。
【０００５】
図３には樹脂成型による電動圧縮機用の電気絶縁部材の従来例の断面図を示す。
【先行技術文献】
【特許文献】
【０００６】
【特許文献１】特開２００５−１８８５１７号公報
【発明の概要】
【発明が解決しようとする課題】
【０００７】
電動圧縮機の電気端子を電気的短絡事故から防止するため、電動圧縮機に予め固定されたボルトに電気絶縁部材を取り付けて電気端子を覆った後、この電気絶縁部材をナットでボルトに締結固定する場合において、従来例の電気絶縁部材の場合には締結力に対する機械的強度の不足や、機械的強度のばらつきに起因する故障が発生し、また、締結後の電動圧縮機の稼動、停止の繰り返しに伴い生じると考えられる電気絶縁部材の伸縮に起因する締結固定部の緩みや脱落が生じる課題があった。
【０００８】
機械的強度の不足に起因する故障例として、樹脂成型による従来例の電気絶縁部材の場合ではこれを電動圧縮機に締結固定するときに作業者がナットの締結力の加減を誤ると部材にひび割れが生じ、最悪の場合には破損に至る。
【０００９】
ひび割れが生じる程度の故障の場合には外見上これの発見が困難であるため、ナットで締結固定された後もこの故障のために締結固定力は設計上必要な値を下回っている危険性がある。
【００１０】
また、電動圧縮機の運転と停止の繰り返しに伴い、電気絶縁部材には熱ストレスの負荷と振動負荷が繰り返し加わることが原因となり、電気絶縁部材にも熱伸縮が繰り返し生じていると考えられる。  
【００１１】
このために電動圧縮機へ当初は強固に締結固定されていたはずの電気絶縁部材の締結力にはやがて緩みが生じる。
【００１２】
この緩みが看過できないほど進行すると、電気絶縁部材の取り付けの位置ずれや電気端子部からの電気配線の乱れを招来し、金属異物等が電気端子部に侵入する事に起因する電気的短絡や漏電等の不都合が生じる。
【００１３】
これは電動圧縮機の品質維持と保安上からも大きな課題となる。
【００１４】
本発明はこのような従来の課題を解決するために、電動圧縮機に装着する電気絶縁部材の締結固定時の強度を維持する信頼性の高い電動圧縮機用の電気絶縁部材を提供する事を目的とする。
【課題を解決するための手段】
【００１５】
従来の課題を解決するための第１の手段は、ボルト挿入用の中空柱状部が有底筒形状の電気絶縁部材に一体的に構成されており、この中空柱状部を取り巻くような構成で部材本体の肉厚寸法に違いを設けた薄肉部が設けられている。
【００１６】
さらに、電動圧縮機に部材本体を装着した場合に、電動圧縮機の筐体あるいは筐体に取り付けられた部材と中空柱状部の先端部の間に僅かな隙間が存在しており、部材本体をボルト、ナット類で固定した後にはこの隙間が解消して中空柱状部の先端部が電動圧縮機の筐体あるいは筐体に取り付けられた部材に突合わされるように固定される。
【００１７】
第２の手段は、ボルト挿入用の中空柱状部を円筒形状としている。
【００１８】
さらに、部材肉厚に違いを設けた薄肉部分では、これの肉厚が部材本体肉厚の６分の２から６分の５の範囲に設定されており、この薄肉部分は中空柱状部が部材本体から分岐する、いわゆる中空柱状部の根元部分においてこれを取り巻くように配置されている。
【００１９】
第３の手段は、ボルトを挿入する中空の円筒形状の中空柱状部の形状については、その先端部が部材本体から分岐する根元部分に比べて徐々にその外径が細くなるように構成されている。
【００２０】
第４の手段は、ボルトを挿入する中空柱状部に補強部材を併せて構成している。
【００２１】
第５の手段は、補強部材の形状をボルトが挿入できる円筒形状としている。
【発明の効果】
【００２２】
本発明による電動圧縮機用の電気絶縁部材は、電動圧縮機の長期間にわたる稼動においても品質面と保安面で優れるものである。
【図面の簡単な説明】
【００２３】
【図１】本発明の実施の形態１から５における電気絶縁部材の装着状態の断面図
【図２】本発明の実施の形態１から５における電気絶縁部材の締結状態の断面図
【図３】従来の技術による電気絶縁部材の断面図
【発明を実施するための形態】
【００２４】
第１の発明は、電動圧縮機に設けられた電気端子を覆う有底筒形状の電気絶縁部材について、この部材はボルトとナットに類する締結部品により電動圧縮機に固定される方式であり、この部材にはこれを締結するためのボルトを挿入する中空柱状部が一体的に設けられている。
【００２５】
部材本体には周辺の部材肉厚より薄い肉厚となるよう設定された部分があり、これは中空柱状部を取り巻くような閉じた領域として構成されている。
【００２６】
また、電動圧縮機に部材本体を装着した場合に、電動圧縮機の筐体あるいは筐体に取り付けられた部材と中空柱状部の先端部の間に僅かな隙間が存在し、部材本体をボルト、ナット類で固定した後にはこの隙間が解消して中空柱状部の先端部が電動圧縮機の筐体あるいは筐体に取り付けられた部材に突合わされて固定されることにより、この電気絶縁部材をナットで締結する時には部材本体の薄肉部が撓むことで中空柱状部の先端部が電動圧縮機の筐体に突き合わされる。もし、構成上の理由で筐体１２に別部材が配置されている場合にはこの部材に突き合わされる。
【００２７】
中空柱状部の先端部が電動圧縮機の筐体に突き当たると、ナットによる締結力は主として中空柱状部で受ける事になる。このとき部材本体の機械的強度は、中空柱状部の長さに相当する肉厚寸法を部材本体に設定した場合と同じ効果を得る事が出来る。このためナット締結時の部材本体の破壊強度が従来技術によるものに比べて格段に高くなる。
【００２８】
この作用と併せて、部材本体の薄肉部によるバネ性がナットの緩みを防止するように作用するので電動圧縮機の作動、停止の繰り返しに伴う経時変化に対しても電気絶縁部材が緩む事がない。
【００２９】
第２の発明は、第１の発明に記載の有底筒形状の電気絶縁部材について、特にボルト挿入用に設けた中空柱状部を円筒形状として、部材肉厚に付いては薄肉部分の肉厚が周辺部の代表的な肉厚の６分の２から６分の５の範囲に設定されており、この薄肉部分は中空柱状部が部材本体から分岐する、いわゆる中空柱状部の根元部分においてこれを取り巻くように構成されている。      
【００３０】
これにより、電動圧縮機にボルトを介して部材本体を装着した後に、これをナットで締結するときは、ナットの平面投影形状と中空状の中空柱状部との重なり合わせが良くなるのでナットの締結力が中空柱状部に安定して加わる。
【００３１】
さらに、ナット締結時の部材薄肉部による撓み力が安定して強固なものとなる。このため、電動圧縮機の作動、停止の繰り返しに伴う経時変化に対しても電気絶縁部材の緩みの防止が安定する。
【００３２】
第３の発明は第１と第２の発明に記載の有底筒形状の電気絶縁部材について、特にボルトを挿入する中空柱状部の形状については、部材本体から分岐する根元部分から先端部分に向かって徐々にその外径が細くなるように構成される事により、中空柱状部の先端部と電動圧縮機の筐体の突合せ部分の面積を比較的小さく構成出来ることからナットによる締結力が安定するため締結性能が向上する。
【００３３】
第４の発明は、第１から第３の発明に記載した有底筒形状の電気絶縁部材について、特にボルトを挿入する中空柱状部には補強部材を併せて構成しているので、この補強部材を例えば鉄系部材のように、ナット材料の機械強度と同等か、これより大きい機械強度の部材で構成することにより、部材本体を電動圧縮機へ取り付け固定する時にナットによる過剰な締結力に起因する部材の破損を防止する効果が更に大きくなる。
【００３４】
第５の発明は、特に第４の発明に記載した補強部材の形状をボルトが挿入できる円筒形状としているので補強部材を例えば鉄系部材で構成した場合など、これにより中空柱状部に挿入されるボルトに対して内外径の間の肉厚を小さく設定して小型化できる。
【００３５】
以下、本発明の実施の形態に付いて、図面を参照しながら説明する。なお、この実施の形態によって本発明が限定されるものではない。
【００３６】
（実施の形態１）
図１は本発明の第１の実施の形態による有底筒形状の電気絶縁部材を電動圧縮機に装着した状態の断面図を示す。また、図２は有底筒形状の電気絶縁部材を電動圧縮機に締結した状態の断面図を示す。
【００３７】
電気絶縁部材１にはボルト挿入用の中空柱状部２が一体的に構成されており、この中空柱状部を取り巻くような構成で部材本体の肉厚寸法との違いを設けた薄肉部３が設けられている。
【００３８】
さらに、電動圧縮機に予め固定されたボルト１１を介して電気絶縁部材を装着した場合に、中空柱状部の先端部４と電動圧縮機の筐体１２との間に僅かな隙間５が存在している。隙間５は後にナットを締め付けたときの電気絶縁部材の変形が、電気絶縁部材を破壊せず、かつナットの緩みを防止するに充分な反発力を発生させる大きさに設定される。この部材本体１をナット６で締結する時には部材本体の薄肉部３が撓むことで図２のように中空柱状部の先端部４が電動圧縮機の筐体１２に突き合わされる。もし、構成上の理由で筐体１２に別部材が配置されている場合にはこの部材に突き合わされる。
【００３９】
中空柱状部の先端部４が電動圧縮機の筐体１２に突き当たると、ナット６による締結力は主として中空柱状部２で受ける事になる。このとき部材本体１の機械的強度は、中空柱状部２の長さに相当する肉厚寸法を部材本体１に設定した場合と同じ効果を得る事が出来る。このためナット締結時の部材本体の破壊強度が従来技術によるものに比べて格段に高くなる。
【００４０】
この作用と併せて、部材本体の薄肉部３によるバネ性がナット６の緩みを防止するように作用するので電動圧縮機の作動、停止の繰り返しに伴う経時変化に対しても電気絶縁部材が緩む事がない。
【００４１】
（実施の形態２）
図１は本発明の第２の実施の形態による有底筒形状の電気絶縁部材を電動圧縮機に装着した状態の断面図を示す。また、図２は有底筒形状の電気絶縁部材を電動圧縮機に締結した状態の断面図を示す。
【００４２】
電気絶縁部材１は、ボルト挿入用の中空柱状部２を円筒形状としている。
【００４３】
さらに、部材の薄肉部分３の肉厚が周辺部の通常の肉厚の６分の２から６分の５の範囲に設定されており、この薄肉部分３は中空柱状部２が部材本体から分岐する、いわゆる中空柱状部の根元部分においてこれを取り巻くように配置されている。
【００４４】
これにより、電動圧縮機にボルト１１を介して部材本体１を装着した後に、これをナット６で締結するときは、ナットの平面投影形状と中空柱状部２との重なり合わせが良くなるのでナット６の締結力が中空柱状部２に安定して加わる。
【００４５】
さらに、ナット締結時の部材薄肉部３による撓み力が安定して強固なものとなる。このため、電動圧縮機の作動、停止の繰り返しに伴う経時変化に対しても電気絶縁部材の緩みの防止が安定する。
【００４６】
（実施の形態３）
図１は本発明の第３の実施の形態による有底筒形状の電気絶縁部材を電動圧縮機に装着した状態の断面図を示す。また、図２は有底筒形状の電気絶縁部材を電動圧縮機に締結した状態の断面図を示す。
【００４７】
電気絶縁部材１に設けたボルト挿入用の円筒形状の中空柱状部２の先端部４が根元部分２ａに比べて徐々にその外径が細くなるように構成されている。これにより、中空柱状部の先端部４と電動圧縮機の筐体１２の突合せ部分の面積を比較的小さく構成出来ることからナットによる締結力が安定するので締結性能が向上する。
【００４８】
（実施の形態４）
図１は本発明の第４の実施の形態による有底筒形状の電気絶縁部材を電動圧縮機に装着した状態の断面図を示す。また、図２は有底筒形状の電気絶縁部材を電動圧縮機に締結した状態の断面図を示す。
【００４９】
電気絶縁部材１に設けたボルト挿入用の中空柱状部２には補強部材７を併せて構成としている。
【００５０】
この補強部材７を例えば鉄系部材のように、ナット材料の機械強度と同等か、これより大きい機械強度の部材で構成することにより、部材本体１を電動圧縮機へ取り付け固定する時にナット６による過剰な締結力に起因する部材の破損を防止する効果が更に大きくなる。
【００５１】
（実施の形態５）
図１は本発明の第５の実施の形態による有底筒形状の電気絶縁部材を電動圧縮機に装着した状態の断面図を示す。また、図２は有底筒形状の電気絶縁部材を電動圧縮機に締結した状態の断面図を示す。
【００５２】
電気絶縁部材１の中空柱状部２に構成した補強部材７の形状をボルトが挿入できるように円筒形状としている。
【００５３】
補強部材７を例えば鉄系部材で構成した場合など、これにより中空柱状部２に挿入されるボルト１１に対して内外径の間の肉厚を小さく設定して小型化できる。
【産業上の利用可能性】
【００５４】
以上のように本発明による電動圧縮機用の有底筒形状の電気絶縁部材は、ナットによる締結固定の場合において従来技術よりもはるかに高い機械的強度を有し、電動圧縮機へ取付ける際の故障を予め防ぎ、取り付け後の緩みや脱落についても防止できるので、品質面と保安面で優れた冷暖房装置あるいは冷蔵庫、洗濯乾燥機などを提供できる。
【符号の説明】
【００５５】
１    電気絶縁部材（部材本体）
２    中空柱状部
２ａ  中空柱状部の根元部
３    部材薄肉部
４    中空柱状部の先端部
５    隙間
６    ナット
７    補強部材
１１  ボルト
１２  電動圧縮機の筐体
１３  電動圧縮機の電気端子
【図１】
2011026972.tif 000003
【図２】
2011026972.tif 000004
【図３】
2011026972.tif 000005